(57)【要約】【課題】  複数列の記録素子を備えたものにおいて、記録素子に対し記録情報を転送するための回路及び配線を簡単にできる記録装置を提供する。【解決手段】  記録素子をインク色毎に複数列に配置し、その列と直交する方向にフレキシブル配線基板３７を引き出す。フレキシブル配線基板３７は、各記録素子に対応した接続電極５２ｋ，５２ｃ，５２ｙ，５２ｍを有する。各インク色毎に設けたバッファメモリから各記録素子に対応する記録情報を、記録素子の複数列にわたってかつその列方向のほぼ一端側から順に対応した順序５２ｍ１，５２ｃ１，５２ｋ１，５２ｙ１，５２ｍ２，５２ｃ２，５２ｋ２、５２ｙ２・・・・で読み出し、シリアルに出力する。それを記録素子の上記順序に対応したパラレル変換して、各列の記録素子をそれぞれ駆動する。【選択図】  図５
2005238783.tif 000002
【特許請求の範囲】
【請求項１】
記録情報に基づき記録媒体に記録を行う記録装置において、
複数の列状に配列された記録素子と、その記録素子それぞれに対応して複数の列状に配列され、前記記録素子を駆動するための駆動信号が供給される駆動電極とを有する記録ヘッドと、
シリアル転送されてきた前記記録情報を前記複数列の駆動電極に対応したパラレルの駆動信号に変換して出力する変換器と、
前記記録情報を前記変換器にシリアル転送する制御手段とを備え、
前記変換器は、前記複数列の駆動電極に、その複数列にわたってかつその列方向のほぼ一端側から順に対応して並んだ複数の出力端子を有し、前記制御手段は、前記各駆動電極に対応した前記記録情報を、前記複数の出力端子の配列順序に対応した順序で前記シリアル転送することを特徴とする記録装置。
【請求項２】
前記記録素子の各列は、複数の記録色に対応しており、
前記記録色毎に前記記録情報をそれぞれ記憶する記憶手段をさらに備え、
前記制御手段は、前記出力端子の配列に対応して前記記憶手段から記録情報を読み出して前記変換器に転送するものであることを特徴とする請求項１に記載の記録装置。
【請求項３】
前記駆動電極の配列方向と直交する方向に延び、前記駆動電極とそれに対応する前記変換器の出力端子とを接続する配線パターンを有する配線基板をさらに備え、
前記変換器はその配線基板上に設けられていることを特徴とする請求項１または２に記載の記録装置。
【請求項４】
前記複数の出力端子は、前記駆動電極の各列の一端側の１つずつに所定の順序で対応した群を、前記駆動電極の列方向に繰り返して配列されていることを特徴とする請求項１から３のいずれかに記載の記録装置。
【請求項５】
前記変換器は、前記シリアル転送されてきた記録情報をパラレル変換して出力するシリアル−パラレル変換部と、パラレル変換された記録情報を前記記録素子を駆動する電圧の駆動信号に変換する出力部とから構成されていることを特徴とする請求項１から４のいずれかに記載の記録装置。
【請求項６】
前記制御手段は、記録装置本体側の制御基板上に設けられ、
前記配線基板は、その制御基板上の前記制御手段と前記記録ヘッドとを接続するフレキシブルな配線基板であることを特徴とする請求項３に記載の記録装置。
【発明の詳細な説明】
【技術分野】
【０００１】
本発明は、記録装置に関し、特に、複数の列状に配列された記録素子を有し、転送された記録情報にもとづいて各記録素子を駆動して記録を行う記録装置に関するものである。
【背景技術】
【０００２】
特開２００３−８０６８３号公報に開示されているように、記録ヘッドは、各インク色に対応したノズルが列状に複数列配列され、そのノズルからインクを吐出させるための記録素子を有するプレート型圧電アクチュエータが備えられている。その圧電アクチュエータの表面には、記録素子を駆動させるための駆動信号が供給される駆動電極と電気的に接続される表面電極が形成されている。圧電アクチュエータの上部には、表面電極それぞれと接続される配線パターンが形成されたフレキシブル配線基板がノズルの列方向に延びて接続されている。また、フレキシブル配線基板上には、駆動信号を出力するＩＣチップ（以後、「変換器」と称す）が配設されており、その変換器の出力端子から各表面電極までは配線パターンによってそれぞれ接続されている。出力端子とその出力端子に対応した表面電極とを接続する配線パターンは、ノズルの列方向に略直線状に形成されている。よって、出力端子および配線パターンは、ノズル列毎にまとまって形成されている。
【０００３】
また、特開２０００−８５１１６号公報には、上記のインクジェット記録装置などで行われる、各ノズル色に対応した印字データ（以後、「記録情報」と称す）を変換器に転送する制御について開示されている。インクジェット記録装置は、主制御を行う装置本体側に、各ノズル色に対応した記録情報を記憶可能なイメージバッファが備えられ、イメージバッファはそれぞれ専用の読み出し回路に接続されている。記録媒体に記録が行われる場合には、ＣＰＵによって読み出し回路を介してイメージバッファからインク色毎に記録情報が読み出されて変換器にシリアル転送される。このとき、変換器に転送されるシリアル信号は、出力端子および配線パターンが各インク色毎にまとまっているので、各インク色毎に分けた記録情報がまとまって転送される。シリアル転送された記録情報を受信した変換器は、パラレルな駆動信号に変換して各駆動電極に出力し、対応するノズルからインクが吐出されて記録媒体に記録が行われる。
【特許文献１】特開２００３−８０６８３号公報（第９図等）
【特許文献２】特開２０００−８５１１６号公報（第２図等）
【発明の開示】
【発明が解決しようとする課題】
【０００４】
しかしながら、上記のインクジェット記録装置では、フレキシブル配線基板の横幅が、ノズル列と直交方向となる幅、即ち記録ヘッドの幅におけて短い方の幅となるので、フレキシブル配線基板上に形成可能となる配線パターン数に限界があり、ノズル数を増やすことができなかった。そのため、ノズル数を増やそうとした場合、複数の記録ヘッドを備える必要があり、製作コストが高くなると共にインクジェット記録装置自体が大規模化するという問題点があった。
【０００５】
そこで、フレキシブル配線基板を、ノズル列と略直交する方向に延びるよう記録ヘッドに接続し、フレキシブル配線基板の横幅を記録ヘッドの長手方向にわたる大きさに形成することが考えられるが、かかる場合に、上記制御によって記録を行うためには、インク色毎にまとまった出力端子とそのインク色に対応した表面電極とを接続しなければならない。そのためには、フレキシブル配線基板の配線パターンを複数層に形成して出力端子と対応する表面電極とを接続したり、出力端子と表面電極との間に出力端子と表面電極とが対応するよう並び替えを行うロジック回路を追加配設したり、変換器内に並び替えのロジック回路を設けた変換器を製作したりする必要がある。そのいずれにおいても製作コストが高くなるという問題点があった。
【０００６】
本発明は、上述した問題を解決するためになされたものであり、複数列の記録素子を備えたものにおいて、記録情報を転送するための回路及び配線を簡単にできる記録装置を提供する。
【課題を解決するための手段】
【０００７】
この目的を達成するために請求項１記載の記録装置は、記録情報に基づき記録媒体に記録を行うものであり、複数の列状に配列された記録素子と、その記録素子それぞれに対応して複数の列状に配列され、前記記録素子を駆動するための駆動信号が供給される駆動電極とを有する記録ヘッドと、シリアル転送されてきた前記記録情報を前記複数列の駆動電極に対応したパラレルの駆動信号に変換して出力する変換器と、前記記録情報を前記変換器にシリアル転送する制御手段とを備え、前記変換器は、前記複数列の駆動電極に、その複数列にわたってかつその列方向のほぼ一端側から順に対応して並んだ複数の出力端子を有し、前記制御手段は、前記各駆動電極に対応した前記記録情報を、前記複数の出力端子の配列順序に対応した順序で前記シリアル転送する。
【０００８】
請求項２記載の記録装置は、請求項１記載の記録装置において、前記記録素子の各列は、複数の記録色に対応しており、前記記録色毎に前記記録情報をそれぞれ記憶する記憶手段をさらに備え、前記制御手段は、前記出力端子の配列に対応して前記記憶手段から記録情報を読み出して前記変換器に転送するものである。
【０００９】
請求項３記載の記録装置は、請求項１または２に記載の記録装置において、前記駆動電極の配列方向と直交する方向に延び、前記駆動電極とそれに対応する前記変換器の出力端子とを接続する配線パターンを有する配線基板をさらに備えており、前記変換器はその配線基板上に設けられている。
【００１０】
請求項４記載の記録装置は、請求項１から３のいずれかに記載の記録装置において、前記複数の出力端子は、前記駆動電極の各列の一端側の１つずつに所定の順序で対応した群を、前記駆動電極の列方向に繰り返して配列されている。
【００１１】
請求項５記載の記録装置は、請求項１から４のいずれかに記載の記録装置において、前記変換器は、前記シリアル転送されてきた記録情報をパラレル変換して出力するシリアル−パラレル変換部と、パラレル変換された記録情報を前記記録素子を駆動する電圧の駆動信号に変換する出力部とから構成されている。
【００１２】
請求項６記載の記録装置は、請求項３記載の記録装置において、前記制御手段は、記録装置本体側の制御基板上に設けられており、前記配線基板は、その制御基板上の前記制御手段と前記記録ヘッドとを接続するフレキシブルな配線基板である。
【発明の効果】
【００１３】
請求項１記載の記録装置によれば、記録ヘッドには、複数の列状に配列された記録素子と、その記録素子それぞれに対応して複数の列状に配列され、記録素子を駆動するための駆動信号が供給される駆動電極とを有している。変換器は、シリアル転送されてきた記録情報を複数列の駆動電極に対応したパラレルの駆動信号に変換して出力できると共に、複数列の駆動電極に、その複数列にわたってかつその列方向のほぼ一端側から順に対応して並んだ複数の出力端子を有している。また、その変換器に記録情報を転送する制御手段は、各駆動電極に対応した記録情報を、複数の出力端子の配列順序に対応した順序でシリアル転送する。よって、制御手段によって転送される記録情報は、複数列の駆動電極に、その複数列にわたってかつその列方向のほぼ一端側から順に対応した順序でシリアル転送され、変換器によってパラレルの駆動信号に変換してそのまま駆動電極に出力することができる。したがって、複数列に記録素子が配列されたものにおいて、各列毎に記録情報を転送する必要がないから、記録素子数が多くなっても配線が複雑になることがなく、簡素な構成で多数の記録素子に対応することができるという効果がある。
【００１４】
請求項２記載の記録装置によれば、請求項１記載の記録装置の奏する効果に加え、記録素子の各列は複数の記録色に対応しており、その記録色毎の記録情報は記憶手段にそれぞれ記憶される。また、制御手段は、出力端子の配列に対応して記憶手段から記録情報を読み出して変換器に転送する。よって、複数列の駆動電極のほぼ列方向の配列順に対応して記憶手段から順番に各色の記録情報を読み出してシリアル転送し、各色の記録素子列に対応したパラレル信号を出力するので、複数色の記録を簡素な構成で実現することができるという効果がある。
【００１５】
請求項３記載の記録装置によれば、請求項１または２に記載の記録装置の奏する効果に加え、駆動電極の配列方向と直交する方向に延び、駆動電極とそれに対応する変換器の出力端子とを接続する配線パターンを有する配線基板を備えており、その配線基板上に変換器が設けられている。よって、配線基板の幅を駆動電極の列方向の長さと略同等に形成できるため、多数の記録素子および駆動電極に対して容易に対応することができるという効果がある。また、配線基板上に変換器と配線パターンとを有しているので、変換器および配線基板の取付作業が容易となるという効果もある。
【００１６】
請求項４記載の記録装置によれば、請求項１から３のいずれかに記載の記録装置の奏する効果に加え、複数の出力端子は、駆動電極の各列の一端側の１つずつに所定の順序で対応した群を、駆動電極の列方向に繰り返して配列されている。よって、制御手段におけるシリアル信号の生成および変換器におけるパラレルの駆動信号への変換を容易に行うことができるという効果がある。
【００１７】
請求項５記載の記録装置によれば、請求項１から４のいずれかに記載の記録装置の奏する効果に加え、変換器は、シリアル転送されてきた記録情報をパラレル変換して出力するシリアル−パラレル変換部と、パラレル変換された記録情報を記録素子を駆動する電圧の駆動信号に変換する出力部とから構成されている。よって、記録情報を低電圧でかつ少ない配線数で転送し記録素子の駆動に適した電圧のパラレル信号を出力するので、多数の記録素子を効率よく駆動することができるという効果がある。
【００１８】
請求項６記載の記録装置によれば、請求項３記載の記録装置の奏する効果に加え、制御手段は、記録装置本体側の制御基板上に設けられており、その制御基板上の制御手段と記録ヘッドとはフレキシブルな配線基板で接続されている。よって、制御手段が記録ヘッド側に備えられていないので、記録ヘッドが大規模化することを防止できるという効果がある。
【発明を実施するための最良の形態】
【００１９】
以下、本発明の好ましい実施例について、添付図面を参照して説明する。図１は、本発明をインクジェット記録装置１に具体化した概略図である。
【００２０】
インクジェット記録装置１は、インクカートリッジ２を着脱可能に装着する装着部３と、インクカートリッジ２からインク供給チューブ４を介して供給されるインクを貯留するインクタンク５と、そのインクタンク５に貯留されたインクを記録媒体６に向けて吐出する記録ヘッド７と、インクタンク５と記録ヘッド７とを主に備える記録ヘッドユニット８が搭載され直線方向に往復動作するキャリッジ９と、そのキャリッジ９が往復移動する際のガイドとなるキャリッジ軸１０と、記録媒体６を搬送する搬送機構１１と、パージ装置１２とを備えている。
【００２１】
インクカートリッジ２は、ブラック、シアン、イエロー、マゼンタ等の複数色のカラーインク毎に設けられ、インクジェット記録装置１に装着されてカラー印刷が可能に構成されている。なお、インクカートリッジ２は、図１の矢印Ｘ方向へ押し込むことにより、装着部３に装着される。
【００２２】
装着部３は、ベース部３ａと、そのベース部３ａの両側から立設するガイド部３ｂとを備え、ガイド部３ｂに挟まれたベース部３ａからは、インクカートリッジ２内に貯留されたインクを外部に供給する中空状のインク供給管１３と、インクカートリッジ２内に外気を導入する中空状の外気導入管１４とが突出して配設されている。
【００２３】
このインク供給管１３の一端側には、インク供給チューブ４が連結され、インク供給管１３は、インク供給チューブ４を介してインクタンク５と連通されている。外気導入管１４の一端側には、外気導入チューブ１５が連結され、外気導入管１４は、外気導入チューブ１５を介して外気と連通されている。
【００２４】
パージ装置１２は、記録範囲外であって記録ヘッド７に対向するように配置されており、記録ヘッド７のノズル１６ｋ，１６ｃ，１６ｙ，１６ｍ（図４参照）形成面を覆うパージキャップ１２ａと、パージキャップ１２ａと連通する廃インクチューブ１２ｂと、廃インクチューブ１２ｂを介してノズル１６ｋ，１６ｃ，１６ｙ，１６ｍからインクを吸引するポンプ１２ｃとを備えている。
【００２５】
次に、図２を参照してインクジェット記録装置１の電気回路の構成について説明する。図２は、インクジェット記録装置１の電気回路の構成の概略を示すブロック図である。
【００２６】
インクジェット記録装置１を制御するための制御装置は、インクジェット記録装置１本体側の本体側制御基板２０と、キャリッジ９に搭載されたキャリッジ基板２１とを備えており、本体側制御基板２０には、インクジェット記録装置１の主制御を行う１チップ構成のマイクロコンピュータ（以後、「ＣＰＵ」と称す）２２と、そのＣＰＵ２２により実行される各種の制御プログラム２３ａや固定値データ２３ｂを記憶したＲＯＭ２３と、書き換え可能な揮発性のメモリであり各種のデータ等を一時的に記憶するＲＡＭ２４と、イメージメモリ２５と、ゲートアレイ２６と、ホストコンピュータ（図示せず）などの外部機器との間で各種データを伝送するインターフェース（以後、「Ｉ／Ｆ」と称す）２７が搭載されている。
【００２７】
演算装置であるＣＰＵ２２は、ＲＯＭ２３に予め記憶された制御プログラム２３ａに従い、各種処理を実行するものである。また、タイミング信号およびリセット信号を生成し、各信号を後述のゲートアレイ２６へ転送する。このＣＰＵ２２には、キャリッジ９を動作させるキャリッジモータ（以後、「ＣＲモータ」と称す）２８を駆動するためのＣＲモータ駆動回路２９、記録媒体６を搬送する搬送モータ（以後、「ＬＦモータ」と称す）３０を動作させるためのＬＦモータ駆動回路３１、ポンプ１２ｃを動作させるポンプ駆動回路３２、記録媒体６の先端を検出するペーパセンサ３３、キャリッジ９の原点位置を検出する原点センサ３４、ユーザが記録の指示などを行うための操作パネル３５などが接続されている。接続される各デバイスの動作はこのＣＰＵ２２により制御される。
【００２８】
イメージメモリ２５には、Ｉ／Ｆ２７を介して外部機器から転送されてくるインク（記録）色毎のデータ（以後、「記録情報」と称す）を一時的に記憶するバッファ領域があり、そのバッファ領域は、ブラックインク用のバッファメモリ（記憶手段）２５ｋ、シアンインク用のバッファメモリ（記憶手段）２５ｃ、イエローインク用のバッファメモリ（記憶手段）２６ｙ及びマゼンタインク用のバッファメモリ（記憶手段）２６ｍである。
【００２９】
ゲートアレイ２６は、外部機器からＩ／Ｆ２７を介して転送されてくる記録情報をイメージメモリ２５に記憶させる。さらに、ホストコンピュータなどからＩ／Ｆ２７を介して転送されてくるデータに基づいてデータ受信割込信号を生成し、その信号をＣＰＵ２２へ転送する。
【００３０】
また、ゲートアレイ２６には、バッファメモリ２５ｋ，２５ｃ，２５ｙ，２５ｍから記録情報を読み出すと共にキャリッジ基板２１側にその記録情報をシリアル転送する制御手段２６ａが備えられている。ゲートアレイ２６は、制御手段２６ａによって読み出された記録情報と、その記録情報と同期する転送クロックＴＣＫと、ストローク信号ＳＴＢと、一定周期で出力される吐出タイミング信号ＣＬＫとを出力し、それら各信号を、ヘッドドライバが実装されたキャリッジ基板２１側へ各信号線をとおして転送するものである。また、後述する変換器３８を駆動させるための電源をキャリッジ基板２１へ電源線をとおして供給する。
【００３１】
なお、ゲートアレイ２６とキャリッジ基板２１との間で通信される各信号は、両者を接続するフレキシブルな配線基板（図示せず）を介して転送される。上記したＣＰＵ２２と、ＲＯＭ２３、ＲＡＭ２４及びゲートアレイ２６とは、バスライン３６を介して接続されている。
【００３２】
キャリッジ基板２１は、本体側制御基板２０と記録ヘッド７との間を結ぶ中継基板であり、キャリッジ基板２１と記録ヘッド７との間は、厚さ５０〜１５０μｍの可撓性のあるポリイミドフィルムに後述する銅箔配線パターンを形成したフレキシブル配線基板３７により接続されている。また、フレキシブル配線基板３７上には、シリアル転送されてきた記録情報をパラレル信号に変換し後述する圧電アクチュエータを駆動するための電圧の駆動信号に変換して出力するＩＣチップである変換器３８が配設されている。
【００３３】
図３は、記録ヘッド７及びフレキシブル配線基板３７の分解斜視図であり、図４は、記録ヘッド７の下面図である。
【００３４】
記録ヘッド７の下面側（記録媒体６と対向する側（図１参照））の面には、図４に示すように、ブラックインク用のノズル１６ｋ、シアンインク用のノズル１６ｃ、イエローインク用のノズル１６ｙ及びマゼンタインク用のノズル１６ｍがそれぞれ列状に配列されている。なお、これら各ノズル列の方向と略直交する方向（図４における左右方向）がキャリッジ９（図１参照）の移動方向となる。
【００３５】
記録ヘッド７は、特開２００２−２３４１７１号公報に記載された公知のものと同様に、複数のプレートを積層して形成されるキャビティプレート７ａと、プレート型の圧電アクチュエータプレート７ｂとを備えて構成されている。キャビティプレート７ａは、上面にインク色毎にインク供給口１７ｋ，１７ｃ，１７ｙ，１７ｍを有し、その各インク供給口１７ｋ，１７ｃ，１７ｙ，１７ｍから延びるマニホールド流路を介して複数の圧力室にインクが分配され、各圧力室から対応する各ノズル１６ｋ，１６ｃ，１６ｙ，１６ｍに至る構成である。
【００３６】
圧電アクチュエータプレート７ｂは、上記の各圧力室に対応する複数の圧力発生手段、即ち、圧電変形部からなる記録素子を有し、その上面に各記録素子に接続される駆動電極１８ｋ，１８ｃ，１８ｙ，１８ｍと、その各駆動電極１８ｋ，１８ｃ，１８ｙ，１８ｍに対して共通の電極となる複数の共通電極１９とを有している。記録素子は、ノズル１６ｋ，１６ｃ，１６ｙ，１６ｍに対応して列状に配列されているので、ノズル数に対応する。また、駆動電極１８ｋ，１８ｃ，１８ｙ，１８ｍには、選択的に駆動信号が供給され、記録素子を駆動して圧力室内のインクに吐出のための圧力が付与される。
【００３７】
圧電アクチュエータプレート７ｂの上面（各駆動電極が配設された面）には、図５に示すように、各記録素子に給電するための配線パターンを有するフレキシブル配線基板３７が積層されている。フレキシブル配線基板３７は、各駆動電極１８ｋ，１８ｃ，１８ｙ，１８ｍの列方向、即ち、ノズル１６ｋ，１６ｃ，１６ｙ，１６ｍの列方向に幅を有し、そのノズル列方向に略直交する方向に延びている。
【００３８】
また、フレキシブル配線基板３７には、図５に示すように、記録ヘッド７の駆動電極１８ｋ，１８ｃ，１８ｙ，１８ｍと平面視重なる位置に一対一で対応して接続電極５２ｋ，５２ｃ，５２ｙ，５２ｍが形成されている。なお、共通電極１９と対応する共通接続電極（図示しない）も形成されている。それら接続電極５２ｋ，５２ｃ，５２ｙ，５２ｍと駆動電極１８ｋ，１８ｃ，１８ｙ，１８ｍ、及び共通接続電極と共通電極１９とは、導電性のろう材あるいは接着剤で一対一に接続される。
【００３９】
接続電極５２ｋ，５２ｃ，５２ｙ，５２ｍに接続された各配線パターン５１ｋ，５１ｃ，５１ｙ，５１ｍは、各接続電極のなす列と直交する方向に延びて変換器３８に一列に配列された複数の出力端子５０に接続される。その際、変換器３８から離れた側にある列の接続電極５２ｋ，５２ｃ，５２ｙに接続された配線パターン５１ｋ，５１ｃ，５１ｙは、他の配線パターンと交差しないように、それよりも変換器３８側にある列の接続電極の間をとおって形成される。
【００４０】
その結果、各列の接続電極５２ｋ，５２ｃ，５２ｙ，５２ｍの端（図５の一番上）の各１つは、接続電極５２ｍ、接続電極５２ｃ、接続電極５２ｋ、接続電極５２ｙの順に、出力端子５０のその列の端から接続される。その各１つの接続電極に対する配線パターン５１ｋ，５１ｃ，５１ｙ，５１ｍ及び出力端子５０の接続構成を１つの群として、接続電極の列方向の数だけ繰り返される。つまり、各列の接続電極をそれぞれ列の一端から１，２，３，４・・・・７５と番号をつけたとき、接続電極は５２ｍ１，５２ｃ１，５２ｋ１，５２ｙ１，５２ｍ２，５２ｃ２，５２ｋ２、５２ｙ２・・・・５２ｍ７５，５２ｃ７５，５２ｋ７５，５２ｙ７５の順に出力端子５０に接続される。
【００４１】
つまり、各接続電極が、その複数列にわたってかつその列方向のほぼ一端から順に出力端子５０の列と対応することになる。ただし、配線パターンを交差しないように形成するため、必ずしも、正確に列の端から順に出力端子の列と対応させる必要はない。
【００４２】
変換器３８は、シフトレジスタからなるシリアル−パラレル変換部３９、データラッチ４０、ゲート回路４１および出力部４２からなり、制御部２６ａから転送クロックＴＣＫとともにシリアル転送されてきた記録情報ＤＡＴＡは、シリアル−パラレル変換部３９に順次格納され、パラレル変換されて、データラッチ４０に出力される。データラッチ４０の記録情報ＤＡＴＡは、ストローブ信号ＳＴＢにもとづいてゲート回路４１に出力され、さらに吐出タイミング信号ＣＬＫにもとづいて記録ヘッド７の駆動電極１８ｋ，１８ｃ，１８ｙ，１８ｍに出力される。その際、記録情報ＤＡＴＡは、出力部４２により各記録素子を駆動するのに適した電流、電圧の駆動信号に変換される。
【００４３】
シリアル−パラレル変換部３９、データラッチ４０は、記録ヘッド７の全駆動電極数に対応するビット数を有し、ゲート回路４１、出力部４２もそれと同数有する。
【００４４】
上記した構成のインクジェット記録装置１において、記録媒体６に記録を行う制御手段２６ａおよび変換器３８の制御について説明する。
【００４５】
記録媒体６に記録を行うために、ＣＰＵ２２より所定情報の記録が指示されると、イメージバッファ２５の各インク色に対応したバッファメモリ２５ｋ，２５ｃ，２５ｙ，２５ｍには、記録情報がそれぞれインク色毎に格納される。ゲートアレイ２６の制御手段２６ａは、出力端子５０が対応する接続電極５２ｍ１，５２ｃ１，５２ｋ１，５２ｙ１，５２ｍ２，５２ｃ２，５２ｋ２，５２ｙ２・・・・５２ｍ７５，５２ｃ７５，５２ｋ７５，５２ｙ７５順序で、順番にバッファメモリ２５ｍ，２５ｃ，２５ｋ，２５ｙからそのノズル位置の記録情報を読み出し、その記録情報を信号線（図５にＤＡＴＡを付記した線）を介して変換器３８にシリアル転送する。
【００４６】
記録情報を受信した変換器３８は、接続電極５２ｍ１，５２ｃ１，５２ｋ１，５２ｙ１，５２ｍ２，５２ｃ２，５２ｋ２，５２ｙ２・・・・５２ｍ７５，５２ｃ７５，５２ｋ７５，５２ｙ７５に対応したパラレルの記録情報に変換すると共に、そのパラレルの記録情報を所定電圧の駆動信号に変換して出力する。その出力された駆動信号は、配線パターン５１ｋ，５１ｃ，５１ｙ，５１ｍを介して対応する接続電極及び駆動電極１８ｋ，１８ｃ，１８ｙ，１８ｍに供給され、その結果記録素子が駆動されてノズルからインクが吐出され、所定情報の記録が記録媒体６に行われる。
【００４７】
以上、説明したインクジェット記録装置１によれば、記録素子をインク色毎に複数列に配置し、その列と直交する方向にフレキシブル配線基板３７を引き出す。一方、各インク色のバッファメモリ２５ｍ，２５ｃ，２５ｋ，２５ｙから各記録素子に対応する記録情報を、記録素子の複数列にわたってかつその列方向のほぼ一端側から順に対応した順序で読み出す、つまり、各インク色の記録情報を混在させてシリアルに出力し、それを記録素子の上記順序に対応したパラレル変換をして、各列の記録素子をそれぞれ駆動する。よって、記録素子の列と直交する方向にフレキシブル配線基板３７を引き出したとしても、複数列の記録素子に対し、配線や回路が複雑化することなく、簡素な構成で制御することができ、また製作コストを低減することができる。
【００４８】
以上、実施例に基づいて本発明を説明したが、本発明は、上記実施例に何ら限定されるものではなく、本発明の趣旨を逸脱しない範囲内で種々の改良変形が可能であることは容易に推察できるものである。
【００４９】
例えば、上記実施例では、イメージメモリ２５内に各インク色に対応したバッファメモリ２５ｋ，２５ｃ，２５ｙ，２５ｍを備えるものとしたが、バッファメモリ２５ｋ，２５ｃ，２５ｙ，２５ｍを備えずに、ＣＰＵ２２から記録の指示があった場合に、制御手段２６ａがイメージメモリ２５から出力端子５０に対応する順序で記録情報を読み出しシリアル転送をするものとしても良い。また、ＣＰＵ２２によるソフトウェア制御で、出力端子５０に対応するように記録情報を読み出し、シリアル転送をするものとしても良い。
【００５０】
また、記録素子の列数は、任意に決定することができ、さらに、インク色の使用頻度に応じてインク色毎に列数を変えることもできる。また、本発明は、インクジェット記録装置に限らず、記録素子を複数列もつ記録装置に適用することができる。
【図面の簡単な説明】
【００５１】
【図１】本発明の実施例におけるインクジェット記録装置を模式的に示した概略図である。
【図２】インクジェット記録装置の電気回路の構成の概略を示すブロック図である。
【図３】記録ヘッドとフレキシブル配線基板の分解斜視図である。
【図４】記録ヘッドの下面図である。
【図５】フレキシブル配線基板上の変換器及び配線パターンの構成を示す平面図である。
【符号の説明】
【００５２】
１                              インクカートリッジ
２                              インクジェット記録装置（記録装置）
７                              記録ヘッド
１８ｋ，１８ｃ，１８ｙ，１８ｍ  駆動電極
２０                            本体側制御基板（制御基板）
２５ｋ，２５ｃ，２５ｙ，２５ｍ  バッファメモリ（記憶手段）
２６ａ                          制御手段
３７                            フレキシブル配線基板（配線基板）
３８                            変換器
５０                            出力端子
５１ｋ，５１ｃ，５１ｙ，５０ｍ  配線パターン
【図１】
2005238783.tif 000003
【図２】
2005238783.tif 000004
【図３】
2005238783.tif 000005
【図４】
2005238783.tif 000006
【図５】
2005238783.tif 000007